(57)【要約】【課題】本発明は、複数のスタンドアローンタイプの装置の操作部を１つまたは、最低限の数で割愛し、その場合でも、視覚的にかつ容易に各装置の設定画面の特定化を行うことで、各装置の設定画面の混在・間違いを防ぐシステムを提供することを目的とする。【解決手段】本発明は、操作部のシステム画面に、検査室内のレイアウト図を容易に作成・変更する機能を備え、用意された各分析装置・操作部のパーツを、現在の各分析装置・操作部の設置場所と同位置に配置していき現在の検査室内と同等のレイアウト図画面を作成・変更していく機能を有することを特徴とする。【選択図】図４
2009250657.tif 000002
【特許請求の範囲】
【請求項１】
一つまたは複数の分析処理部と、前記一つまたは複数の分析処理部を共通に操作できる一つ以上の統合操作部を有する自動分析装置において、
前記統合操作部に設けた表示部の表示画面上で、検査室に置かれる前記統合操作部、前記分析処理部の配置を作図する配置図の作図機能と、
前記配置図で選択した分析処理部に分析測定を実行させる分析測定依頼、分析測定に係る種々の表示画面を前記表示画面上に表示する表示機能を有することを特徴とする自動分析装置。
【請求項２】
請求項１に記載された自動分析装置において、
前記表示機能で示す表示画面は、分析測定に関する各種の設定表示、アラーム表示、稼動状態表示を含むことを特徴とする自動分析装置。
【請求項３】
請求項１に記載の自動分析装置において、
前記表示画面上で上記検査室の間取りを作図する機能を有することを特徴とした自動分析装置。
【請求項４】
請求項３に記載の自動分析装置において、
前記表示画面上で作図する作図ツールは、前記分析処理部、前記統合操作部、物品等を表すアイコン、または図柄、もしくは写真画を含むことを特徴とする自動分析装置。
【請求項５】
請求項４に記載の自動分析装置において、
前記表示画面上で作図される前記分析処理部、前記統合操作部、物品等を含む表示画像は、大きさ、方向、角度、色等を変更できる変更機能を有することを特徴とした自動分析装置。
【請求項６】
請求項４に記載の自動分析装置において、
前記表示画面上で稼働操作中の前記分析処理部や前記統合操作部が視覚識別できる視覚識別表示をする機能を有することを特徴とした自動分析装置。
【請求項７】
請求項４に記載の自動分析装置において、
前記表示画面上に表示した前記分析処理部、前記統合操作部、物品等の含む表示画像に、名称、現在の状態、使用者等の情報を付帯表示する機能を有することを特徴とした自動分析装置。
【請求項８】
請求項７に記載の自動分析装置において、
稼働操作中の前記統合操作部に、マーク、彩色、点滅、または文章による識別表示する機能を有することを特徴とした自動分析装置。
【請求項９】
請求項８に記載の自動分析装置において、
前記表示画面上に表示されている前記分析処理部、前記統合操作部、前記棚、物品等の表示画像をクリックすると、クリックされた対象が設定画面または情報表示画面に移行する機能を有することを特徴とした自動分析装置。
【請求項１０】
請求項９に記載の自動分析装置において、
前記クリックが行われる前に、前記表示画面上に表示されていた前記分析処理部、前記統合操作部、前記棚、物品等の配置画面を縮小して前記設定画面または前記情報表示画面と併せて表示する機能を有することを特徴とした自動分析装置。
【請求項１１】
請求項１０に記載の自動分析装置において、
前記縮小化された配置画面上で前記クリックされた対象の表示画像が他の表示画像と識別されるマーク、彩色、点滅、または文章を含む識別表示が行われる機能を有することを特徴とした自動分析装置。
【発明の詳細な説明】
【技術分野】
【０００１】
本発明は、自動分析装置に係り、複数台のスタンドアローンタイプの装置の操作部を割愛し、その場合でも各装置の設定画面の特定化が容易なシステムを構築する自動分析装置に関する。
【背景技術】
【０００２】
血液、尿等生体サンプル中の特定成分の量、あるいは特定抗原、あるいは抗体の有無を分析する自動分析装置は、用手法に比べ迅速な測定ができ、かつ結果の再現性が高い等の理由により、病院、検査センターを中心に普及が進んでいる。
【０００３】
近年、分析の効率化、省力化のために複数台の分析装置を導入し１人の臨床検査技師が複数台の分析装置にまたがって操作する状況が発生している。
【０００４】
このような状況において、１人の臨床検査技師が個々の分析装置に対して分析依頼する場合や、経過情報の確認、アラームの確認・対処をするためには、発生する都度、各装置の場所まで移動する必要があり、充分な作業の効率化を図ることが出来ない可能性があり得る。
【０００５】
また、近年では分析装置の省スペース化が進んでおり、複数の分析モジュールを連結した大型装置以外に、省スペースかつ性能の良いスタンドアローンタイプの装置を分析室内に多数取り込む病院、検査センター等も増えてきている。
【０００６】
従来では、複数の自動分析装置の情報を同時に管理するために、サーバを購入し管理していたが、これではサーバの他に、操作部を自動分析装置と同数購入する必要があるため、コストが高くなってしまう。
【０００７】
こうした場合、各自動分析装置の操作部を１つ、または、最低限の数で割愛し、どの操作部からでも同時に分析依頼、設定、アラーム、稼動状態の確認を行うことが出来ると、分析の効率化、省スペース化、省力化、またコスト低減にも繋がる。
【０００８】
しかし、複数の自動分析装置の操作部を１つ、または、最低限の数で割愛して管理を行うと、画面上で各々の自動分析装置の設定画面を間違える、また、容易に自動分析装置の設定画面の特定化が出来ないと、作業の効率化が逆に低減してしまう等の問題が起こり得る。
【０００９】
よって、複数の自動分析装置の操作部を１つ、または、最低限の数で割愛して管理した場合、画面上で各々の自動分析装置の設定画面をいかに容易に特定化が出来ることが、最も重要となる。
【００１０】
複数の自動分析装置を１つの操作部で制御・表示する方法としては、特許文献１（特開２００１−２９６３０１号公報）に、スタートアップやシャットダウン処理等の動作開始スケジューリング作業を分析部ごとに一括送信・設定する方法が開示されている。
【００１１】
また、複数の分析モジュールを連結した大型自動分析装置においての制御・情報表示方法として、特許文献２（特開平１１−２２３６３４号公報）には、連結された分析モジュールの設置状態を自動検知し、状態監視画面上で分析モジュールを選択すると、そのモジュールの情報を表示する技術が開示されている。
【００１２】
特許文献１に記載の発明では、個々の自動分析装置に対して処理要求を行う設定画面で、自動分析装置名称等を覚えておく必要があり、依頼する自動分析装置を間違える可能性があり得る。特許文献２に記載の発明では、１つの自動分析装置の連結された分析モジュールに対しての情報表示機能のため、複数台の自動分析装置、またその自動分析装置が分析室内にまばらに配置されている場合には、自動分析装置の容易な特定化ができない可能性があり得る。
【００１３】
【特許文献１】特開２００１−２９６３０１号公報
【特許文献２】特開平１１−２２３６３４号公報
【発明の開示】
【発明が解決しようとする課題】
【００１４】
複数自動分析装置の情報を同時に管理する方法として、全てを管理するサーバを構入して、それを自動分析装置毎の操作部とでネットワークを構築する方法では、コストが高くなってしまう。
【００１５】
そのため、複数の自動分析装置の操作部を１つまたは、最低限の数で割愛し、どの操作部からでも複数の自動分析装置の設定や情報の確認が出来るシステムを作成することを目的とする。
【００１６】
また、その場合における課題として、画面上の各自動分析装置の選択画面で、タブまたはボタン等に自動分析装置の名称、番号、呼び名等を記述し、そのタブまたはボタン等で各々の自動分析装置の設定画面を切り分ける方法では、自動分析装置の名称、番号、呼び名等を必ず記憶しておく必要があり、設定や依頼したい自動分析装置の名称、番号、呼び名等の間違いに気づかずに設定し依頼を行ってしまう場合が起こり得る可能性がある。
【００１７】
本発明は、複数のスタンドアローンタイプを含む自動分析装置の操作部を１つまたは、最低限の数で割愛し、さらにその場合でも、視覚識別が容易で各自動分析装置の設定画面の特定化を行うことで、各自動分析装置の設定画面の混在・間違いを防ぐシステムを提供することを目的とする。
【課題を解決するための手段】
【００１８】
上記課題を解決するために、本発明は、一つまたは複数の分析処理部と、前記一つまたは複数の分析処理部を共に操作できる一つ以上の統合操作部を有する自動分析装置において、統合操作部に設けた表示部の表示画面上で、検査室に置かれる統合操作部、分析処理部の配置を作図する配置画面の作図機能と、前記配置図で選択した分析処理部に分析測定を実行させる分析測定依頼、分析測定に係る種々の表示画面を前記表示画面上に表示する表示機能を備えることを特徴とする。
【００１９】
また、本発明は、前記表示画面上で検査室の間取りを作図する機能を備えることを特徴とする。
【発明の効果】
【００２０】
本発明によれば、表示部の表示画面上に、日頃見慣れている検査室内のレイアウト（間取り）、統合操作部、分析処理部の配置が画面で示されているので、分析測定に用いようとする対象の分析処理部を視覚識別により容易に選択できる。
【００２１】
また、分析測定依頼、分析測定に係る種々の表示画面を前記表示画面上に表示できるので、各分析処理部の設定画面を容易に特定化できることで、各分析処理部の設定画面の混在、間違いを防ぐことが出来るという利点がある。
【００２２】
さらに、分析処理部は視覚識別による特定化が容易であり、設定画面の混在、間違いを防ぐことができるため、統合操作部を最低限の数にすることができ、導入コストも下がり、臨床検査技師の分析の効率化、省スペース化、省力化が期待できる。
【発明を実施するための最良の形態】
【００２３】
以下に、本発明の実施例を添付図面に基づいて説明する。
【００２４】
図１は、自動分析装置の全体的な概略構成を示す図である。
【００２５】
図１に示す自動分析装置は、１つの統合操作部１０１と、３つの分析処理部１０２を有する。分析処理部１０２は、３つ以上でも１つ以上であってもよい。同じ分析処理部１０２を複数備えることも、違う機種の分析処理部を備えることも可能である。
【００２６】
統合操作部１０１は、２つ以上であってもよい。同じ統合操作部１０１を二つ、違う機種のものを２つ備えてもよい。何れも統合操作部１０１を用いても、全部の分析処理部１０２の分析測定を共に実施することができる。
【００２７】
各分析処理部１０２に操作部を備え、基本的な分析測定ができるようにすることにより、統合操作部１０１のメンナンスやトラブルに際しては分析測定をすることができるので好都合である。
【００２８】
図２は１つの分析処理部と、１つの統合操作部を示す図である。
【００２９】
図２を引用して自動分析装置の概要について説明する。
【００３０】
図２において、分析測定では、統合操作部２０１から検体の分析測定項目を選択し、スタートボタンを押下して実行すると、インターフェース２０３より、分析処理部２０２に送信される。
【００３１】
分析処理部２０２は、分析指示に従い、反応ディスク２０４を回転させて、反応容器２０５に対し、順番に検体分注２０６、試薬分注２０９、攪拌２１２が作動する。
【００３２】
検体ディスク２０７の検体容器２０８に入っている検体は、検体分注２０６で反応ディスク２０４の反応容器２０５に分注される。試薬ディスク２１０の試薬ボトル２１１に入っている試薬は、試薬分注２０９で反応容器２０５に分注される。
【００３３】
そして、光源２１３、多波長光度計２１４を用いて、通過する反応容器２０５の吸光度を測定し、濃度演算を行う。測定後の反応容器２０５は洗浄機構２１５により、洗浄される。分析処理部２０２は検体の分析項目の濃度演算結果を、コンバータ２２３、インターフェース２０３を介して、統合操作部２０１に送信することで、ユーザは依頼した検体の分析項目の濃度結果を知ることができる。
【００３４】
統合操作部２０１は、表示装置（表示部）、制御部を有する。また、統合操作部２０１は、キーボード、マウス、プリンター、分析測定結果を格納する外付けのメモリー等も付属する。
【００３５】
表示装置（表示部）の表示画面上には、後で詳しく述べるが、統合操作部、記分析処理部の配置を示す配置画面、分析処理部に分析測定を実行させる分析測定依頼、分析測定に係る種々の表示画面（各種の設定表示、アラーム表示、稼動状態表示を含む）、検査室の間取りを示す画面が表示される。
【００３６】
また、統合操作部、記分析処理部の配置を示す配置画面、検査室の間取り画面、種々の表示画面の作成や表示は、統合操作部２０１に設けた制御部、プログラムソフトの機能により齎される。
【００３７】
次に、複数の操作部を１つまたは、最低限の数に割愛することに関し、１つの統合操作部、または複数の分析処理部に対して最低限の統合操作部で、各分析処理部の設定画面、情報確認画面を表示する方法の実施例について説明する。
【００３８】
まず、操作部を割愛する方法としては、各々の分析装置２０２、統合操作部２０１をネットワーク（イーサネットワーク；「イーサネット」は登録商標）により接続する。統合操作部２０１は、サーバまたは大型のＰＣを用いる。割愛に伴うデータベースは統合操作部２０１に保持する。この場合、サーバ（統合操作部２０１）を購入したとしても、複数の分析処理部２０１に対して、統合操作部は１つ、または必要最小限にすることが出来るため、導入コストの面において、従来の方法よりも大幅に低減させることが出来る。
【００３９】
次に、統合操作部のシステム設定画面での、検査室内のレイアウト（間取り）図を容易に作成・変更する機能に関する実施例について図３を引用して説明する。
【００４０】
図３は検査室内のレイアウト図（間取り）を作成する作成画面の一例である。
【００４１】
まず、ユーザが自動分析装置購入から、設置、初期設定するまでの流れを説明する。
【００４２】
ユーザは自動分析装置を購入して、サービスマンが検査室内に設置作業を行うと、統合操作部（ＰＣ）を立ち上げる。統合操作部（ＰＣ）を立ち上げると、設置した自動分析装置のデータを購入時に付加されるＣＤ−ＲＯＭ等の媒体（プログラムソフト）、またはネットワーク（イーサネットワーク）を使用して自動分析装置データをインストールする。３０３は棚、３０４は入り口、３０２は統合操作部の画像である。
【００４３】
次の作業として、システム設定画面で、検査室内のレイアウト図を作成する。
【００４４】
初期登録の場合では、新規作成を行い、まず検査室の形状等ベースとなる部分を選択・作成する。そして、編集画面３０１の編集操作部画面３０１１に登録されているアイコン、または図、または写真等を、現在設置してある場所と同位置になるようにして、編集画面３０１のレイアウト画面３０１２上に配置する。
【００４５】
分析処理部、統合操作部の場合についても同様に、媒体、またはネットワーク（イーサネットワーク）によりインストールされた設置した分析処理部や統合操作部のアイコン、または図、または写真等を、設置してある場所と同じ位置になるようにして、レイアウト画面３０１２上に配置する。
【００４６】
このほかに、棚や机、入り口等のアイコン、または図、または写真等を用意しておき、ユーザが自分でレイアウト画面と検査室内画面が同様になるようにカスタマイズしていくことで、より分析処理部の位置場所の特定が容易にできるようにする。
【００４７】
また、２回目以降で他の分析処理部を購入し設置した場合、上記作業と同様に、まず設置した分析処理部のデータを上記同様にインストールする。次に上記のシステム設定画面での、検査室内のレイアウト図作成画面で、追加変更登録を行う。この処理も上記の作業と同様に、媒体、またはネットワーク（イーサネットワーク）よりインストールされた設置した分析処理部のアイコン、または図、または写真等を、現在設置してある場所と同じ位置になるようにして、レイアウト図画面上に配置する。
【００４８】
これらのアイコン、または図、または写真等は、大きさ、方向、角度、色等を自由に変更でき、検査室内の広さを問わず、配置することが出来る。
【００４９】
これらを繰り返して行うことにより、各分析処理部が実際の検査室と同様の位置に配置され、個々の分析処理部の特定化が容易にできるようになる図・画面が完成する。
【００５０】
次に、上記で作成した検査室内のレイアウト図に付加するシステム機能に関する実施例について説明する。
【００５１】
図４は検査室内のレイアウト図の画面を用いたオーバービュー画面の一例である。
【００５２】
１つ、または最低限の数の各統合操作部には、上記で作成した検査室内のレイアウト図をデフォルトのオーバービュー画面４０１に設定する。この画面上の各分析処理部には、分析処理部名や呼び名、現在の電源・分析処理の稼働状態等、簡易的な情報が付加して表示してある。
【００５３】
これは、常に表示されていても良いし、ユーザがカーソルを合わせると表示する方法でも良い。また、設定変更によりこの表示方法を切り分けても良い。分析処理部の数に対して、最低限の統合操作部で運用した場合には、分析処理部に対して複数の人が同時に設定できないように、対象とする分析処理部に現在設定を行っている人がいるか、また、誰が設定をしているか等の情報も表示しておく。誰かが設定を行っている最中には、参照は出来ても、変更を行うことは出来ない等の機能を備えておく。
【００５４】
また、統合操作部が複数ある場合には、現在使用している統合操作部が容易に特定できるように、マークや点滅等など視覚識別により特定しやすいようにしておく。
【００５５】
分析処理部ごとの設定画面に移行したい場合には、このレイアウト図画面上で設定したい分析処理部をクリックする。これにより、その分析処理部の設定画面に移行する。
【００５６】
図５は図４に示す分析処理部（１）をクリックして、分析処理部（１）の設定画面５０１に移行した図である。
【００５７】
図５のように、分析処理部別の画面に移行した場合でも、縮小表示でこのオーバービュー画面は常に表示しておく。さらに、現在設定している分析処理部がどの分析処理部かを容易に特定するために、マークや、点滅等の表示（視覚識別化）をしておく。設定終了時には、元の図３の画面に移行する。
【００５８】
また、各分析処理部でアラームが発生した場合には、この図４の画面の対象装置をマーク、または点滅等をさせる。これにより、ユーザは分析処理部における異常が視覚識別により確認でき、その分析処理部をクリックすると、図６の画面に移行する。
【００５９】
このアラーム情報画面６０１を示す図６に移行した場合にも、縮小表示でこのオーバービュー画面６０２は常に表示しておく。また、対象の分析処理部にはマーク、または点滅等の表示（視覚識別化）をしておく。こうすることで、異常が発生した分析処理部の特定化が容易にでき、迅速な対応を行うことが出来る。対処後には、また元の図４の画面に移行する。
【００６０】
以上述べたように、複数の分析処理部の操作部を割愛して統合操作部にした場合において、日頃見慣れている検査内のレイアウトと同様のレイアウト図の画面を作成して用いることにより、分析処理部を視覚的に容易に認識することができ、各分析処理部の設定画面を容易に特定化できることで、各分析処理部の設定画面の混在、間違いを防ぐことが出来るという利点がある。
【００６１】
また、容易に分析処理部の特定化ができることで、不要な操作部の数を減らすことができ、コストの低減に繋がる。さらに、操作部を減らすことで、１人の臨床検査技師が分析処理部間を移動して依頼を行ったり、分析処理部のエラーによるアラームの確認をしたりする等の分析効率の低減をなくすことができ、省スペース化、省力化に繋がる。
【図面の簡単な説明】
【００６２】
【図１】本発明の実施例に係るもので、自動分析装置の概要構成を示す図である。
【図２】本発明の実施例に係るもので、１つの分析処理部と、１つの統合操作部を示す図である。
【図３】本発明の実施例に係るもので、検査室内のレイアウト図を作成する画面の一例を示す図である。
【図４】本発明の実施例に係るもので、検査室内のレイアウト図のオーバービュー画面の一例を示す図である。
【図５】本発明の実施例に係るもので、分析処理部毎の設定画面の一例を示す図である。
【図６】本発明の実施例に係るもので、分析処理部毎のアラーム情報画面の一例を示す図である。
【符号の説明】
【００６３】
１０１…統合操作部
１０２…分析処理部
２０１…統合操作部
２０３…インターフェース
２０２…分析処理部
２０４…反応ディスク
２０５…反応容器
２０６…検体分注プローブ、
２０７…検体ディスク
２０８…検体容器
２０９…試薬分注プローブ
２１０…試薬ディスク
２１１…試薬ボトル
２１２…攪拌機構
２１３…光源
２１４…後分光多波長光度計
２１５…洗浄機構
２２３…Ａ／Ｄコンバータ
３０２…統合操作部の部品
３０３…棚
３０４…入り口
５０２…縮小して表示された検査室内のレイアウト図オーバービュー画面
３０１…編集画面
３０１１…編集操作部画面
３０１２…レイアウト画面
４０１…オーバービュー画面
４０２…統合操作部の部品
５０１…分析処理部（１）の設定画面
６０１…アラーム情報画面
６０２…縮小して表示された検査室内のレイアウト図オーバービュー画面
【図１】
2009250657.tif 000003
【図２】
2009250657.tif 000004
【図３】
2009250657.tif 000005
【図４】
2009250657.tif 000006
【図５】
2009250657.tif 000007
【図６】
2009250657.tif 000008